(57)【要約】【課題】テレビを壁に固定するためには、壁に金具を取り付けなくてはならず、そのため、壁に穴や傷がついてしまう。また、吸盤による方法では吸着力が弱く、大型のテレビを固定することができない。【解決手段】フラットパネルディスプレイの背面に減圧室を設け、更に、この減圧室の背面の全面または一部領域に弾性部材を設けた。そして、この弾性部材を貫通し、前記減圧室に通じる吸気孔と、前記減圧室の空気を排気し減圧室を減圧する排気孔とを設けた。【選択図】　図１
2004112262.tif 000002
【特許請求の範囲】
【請求項１】
フラットパネルディスプレイと、
このフラットパネルディスプレイの背面に設けられた減圧室と、
この減圧室の背面の全面または一部領域に設けられた第１の弾性部材と、
この第１の弾性部材を貫通し、前記減圧室に通じる吸気孔と、
前記減圧室の空気を排気し、減圧室を減圧する排気孔と、
を具備したことを特徴とする壁掛けテレビ。
【請求項２】
請求項１記載の壁掛けテレビにおいて、
前記排気孔は、掃除機の吸引ホースと結合する形状であることを特徴とする壁掛けテレビ。
【請求項３】
請求項１または請求項２記載の壁掛けテレビにおいて、
前記排気孔は、排気孔の内壁に添って接合された第２の弾性部材と、
この第２の弾性部材に押圧されて前記排気孔を密閉する蓋部と、
この蓋部を前記排気孔に接合し、また前記第２の弾性部材に押圧する付勢を与える弾性体と、
を具備したことを特徴とする壁掛けテレビ。
【請求項４】
請求項３記載の壁掛けテレビにおいて、
前記蓋部は、前記第２の弾性部材に押圧される面に第３の弾性部材を具備したことを特徴とする壁掛けテレビ。
【請求項５】
請求項３または請求項４記載の壁掛けテレビにおいて、
前記排気孔は、排気孔の口部に密閉キャップを取り付ける手段を具備したことを特徴とする壁掛けテレビ。
【請求項６】
請求項１乃至請求項５の何れかに記載の壁掛けテレビにおいて、
前記減圧室内に設けられた気圧センサと、
この気圧センサからの検出結果を予め定められた所定の気圧と比較し、この気圧センサからの検出結果が予め定められた所定の気圧より大きくなった場合、制御信号を出す制御手段と、
この制御信号により警告灯を点灯し、及び／または、警告音を発する警告手段と、
を具備したことを特徴とする壁掛けテレビ。
【請求項７】
請求項１乃至請求項５の何れかに記載の壁掛けテレビにおいて、
前記減圧室内に設けられた気圧センサと、
この気圧センサからの検出結果を予め定められた所定の気圧と比較し、この気圧センサからの検出結果が予め定められた所定の気圧より大きくなった場合、警告メッセージを作成する制御手段と、
この警告メッセージを別途入力された映像信号に重畳する重畳手段と、
を具備したことを特徴とする壁掛けテレビ。
【請求項８】
フラットパネルディスプレイと、
このフラットパネルディスプレイの背面に設けられた減圧室と、
この減圧室の背面の全面または一部領域に設けられた第１の弾性部材と、
この第１の弾性部材を貫通し、前記減圧室に通じる吸気孔と、
前記減圧室から空気を排気し、減圧室を減圧する排気孔と、
この排気孔から排気するポンプと、
を具備したことを特徴とする壁掛けテレビ。
【請求項９】
請求項８記載の壁掛けテレビにおいて、
前記減圧室内に設けられた気圧センサと、
この気圧センサからの検出結果を予め定められた所定の気圧と比較し、この気圧センサからの検出結果が予め定められた所定の気圧より大きくなった場合、前記ポンプを動作させる制御手段と、
を具備したことを特徴とする壁掛けテレビ。
【請求項１０】
請求項８または請求項９に記載の壁掛けテレビにおいて、壁掛けテレビのフレーム部またはその周辺部に前記ポンプ動作手段を設けたことを特徴とする壁掛けテレビ。
【請求項１１】
請求項１０に記載の壁掛けテレビにおいて、
前記ポンプ動作手段は、前記フレーム部の上下左右の何れかの中央部またはその周辺部に設けられたことを特徴とする壁掛けテレビ。
【発明の詳細な説明】
【０００１】
【発明の属する技術分野】
本発明は、液晶ディスプレイ（以下、ＬＣＤという）、プラズマディスプレイパネル（以下、ＰＤＰという）、エレクトロルミネッセンスディスプレイ（以下、ＥＬＤという）等フラットパネルディスプレイを用いたテレビジョン受像機を壁に掛けて使用する壁掛けテレビに関するものである。
【０００２】
【従来の技術】
テレビジョン受像機（以下、テレビという）を壁に掛けて使用する方法としては、図１２に示すように壁に金具を取り付け、この金具にテレビを固定する方法が知られていた（例えば、特許文献１参照）。
【０００３】
図１２において、１２０１は壁面であり、１２０２は、この壁面１２０１に取り付けられた金具であり、１２０３は、この金具１２０２により壁面１２０１に固定されるテレビである。
【０００４】
金具１２０２には治具部材１２０４が設けられている。一方、テレビ１２０３には取り付け部材１２０５が設けられている。この治具部材１２０４と取り付け部材１２０５を係合させることでテレビ１２０３を壁面１２０１に固定する。
【０００５】
ところで、図１２のように壁面に金具を取り付ける方法では、一旦金具を壁面に取り付けてしまうと、容易に取り付け場所を変更できないという問題がある。また、壁面に金具を取り付けるためにネジ止め等をする必要があり、壁面にネジ穴や傷等がついてしまうという問題もある。壁には傷や穴等はできるだけ付けたくないというのが一般的な要望である。
【０００６】
そこで、図１３に示すように吸盤を用いて壁面にテレビを固定する方法が提案されている（例えば、特許文献２参照）。
【０００７】
図１３において、１３０１は台座部であり、１３０２は、この台座部１３０１の底面に設けられた吸盤であり、１３０３は、台座部１３０１に係合されるテレビである。
【０００８】
台座部１３０１の底面に吸盤１３０２が設けられているため、水平面のみならず壁面等の垂直面にも台座部１３０１を固定することができるものである。
【０００９】
図１３の構成によれば、吸盤１３０２で壁面に固定されるため、壁面に傷や穴等ができる虞が無い。
【００１０】
【特許文献１】
特開平１１−２０１３８６号公報
【特許文献２】
実開平１−６５５６７号公報
【００１１】
【発明が解決しようとする課題】
しかしながら、図１３の構成では、単に吸盤１３０２で固定しているため吸着力が弱いという問題がある。従って、壁面等の垂直面に固定できるのは軽量の小型のテレビに限られてしまう。また、時間と共に吸盤１３０２の吸着力が弱くなり、突然壁から落下してしまい、その落下の衝撃でテレビが壊れてしまうという虞もある。
【００１２】
そこで、以上の問題を鑑み、本発明は、穴や傷等を設けずに大型のテレビを壁面に固定する手段を提供することを目的とするものである。
【００１３】
【課題を解決するための手段】
上記課題を解決するため、本発明は以下のような手段を講じた。
【００１４】
即ち、本発明に係る壁掛けテレビは、フラットパネルディスプレイと、このフラットパネルディスプレイの背面に設けられた減圧室と、この減圧室の背面の全面または一部領域に設けられた第１の弾性部材と、この第１の弾性部材を貫通し、前記減圧室に通じる吸気孔と、前記減圧室の空気を排気し、減圧室を減圧する排気孔と、を具備するようにした。
【００１５】
これにより、大型のテレビでも壁に吸引できるだけの吸引力を得ることができるようになる。
【００１６】
ここで、前記排気孔は、掃除機の吸引ホースと結合する形状であることが好ましい。
【００１７】
これにより、特別に排気用ポンプを用意する必要が無く、家庭用の掃除機で代用することができる。
【００１８】
また、前記排気孔は、排気孔の内壁に添って接合された第２の弾性部材と、この第２の弾性部材に押圧されて前記排気孔を密閉する蓋部と、この蓋部を前記排気孔に接合し、また前記第２の弾性部材に押圧する付勢を与える弾性体と、を具備するようにした。
【００１９】
これにより、排気終了後、瞬時に排気孔を密閉することができる。
【００２０】
ここで、前記蓋部は、前記第２の弾性部材に押圧される面に第３の弾性部材を具備することが好ましい。また、前記排気孔は、排気孔の口部に密閉キャップを取り付ける手段を具備することが好ましい。
【００２１】
これにより、排気孔の密閉度を向上させることができる。
【００２２】
加えて、前記減圧室内に設けられた気圧センサと、この気圧センサからの検出結果を予め定められた所定の気圧と比較し、この気圧センサからの検出結果が予め定められた所定の気圧より大きくなった場合、制御信号を出す制御手段と、この制御信号により警告灯を点灯し、及び／または、警告音を発する警告手段と、を具備することが好ましい。
【００２３】
或いは、前記減圧室内に設けられた気圧センサと、この気圧センサからの検出結果を予め定められた所定の気圧と比較し、この気圧センサからの検出結果が予め定められた所定の気圧より大きくなった場合、警告メッセージを作成する制御手段と、この警告メッセージを別途入力された映像信号に重畳する重畳手段と、を具備するようにしても良い。
【００２４】
これにより、壁掛けテレビが壁から落下する危険を事前に予知し、これを使用者に認識させ、壁掛けテレビが壁から落下することを防止することができる。
【００２５】
一方、本発明に係る壁掛けテレビは、フラットパネルディスプレイと、このフラットパネルディスプレイの背面に設けられた減圧室と、この減圧室の背面の全面または一部領域に設けられた第１の弾性部材と、この第１の弾性部材を貫通し、前記減圧室に通じる吸気孔と、前記減圧室から空気を排気し、減圧室を減圧する排気孔と、この排気孔から排気するポンプと、を具備するようにしても良い。
【００２６】
これにより、排気用ポンプを別途用意する必要が無くなる。
【００２７】
ここで、前記減圧室内に設けられた気圧センサと、この気圧センサからの検出結果を予め定められた所定の気圧と比較し、この気圧センサからの検出結果が予め定められた所定の気圧より大きくなった場合、前記ポンプを動作させる制御手段と、を具備することが好ましい。
【００２８】
これにより、壁掛けテレビが壁から落下する危険を事前に予知し、壁掛けテレビが壁から落下することを自動的に防止することができる。
【００２９】
また、壁掛けテレビのフレーム部またはその周辺部に前記ポンプ動作手段を設けることが好ましい。特に、前記ポンプ動作手段を前記フレーム部の上下左右の何れかの中央部またはその周辺部に設けることが好ましい。
【００３０】
これにより、一人で壁掛けテレビの設置をするのに都合が良くなる。
【００３１】
尚、以上の各構成要素は可能な限り互いに組み合わせることができるものである。
【００３２】
【発明の実施の形態】
本発明の実施形態を説明する。本発明は、ＬＣＤ、ＰＤＰ、ＥＬＤ等のフラットパネルディスプレイを用いたテレビに適用できるものである。以下、ＬＣＤを用いた場合を一例として説明する。ＰＤＰ、ＥＬＤ等においても本質的には同様である。
【００３３】
まず、本発明に係る壁掛けテレビの第１の実施形態を図１乃至図３に示す。図１は側面図であり、図２、図３は斜視図である。
【００３４】
図１において、１０１は液晶パネルであり、１０２はこの液晶パネルを裏面から照らすバックライトである。また、１０３は減圧室、１０４は弾性部材、１０５は吸気孔、１０６は排気孔、１０７は壁面である。
【００３５】
ここで、弾性部材１０４は、弾性がありかつ空気を通さない部材が適しており、具体的にはゴムや軟質プラスチック等が考えられる。また、図中の矢印は、空気の流れを示している。
【００３６】
上記のような構成の壁掛けテレビは、弾性部材１０４面が壁面１０７に密着される。この状態で、排気孔１０６から排気を行う。そうすると、減圧室１０３が減圧され、外気との気圧差により吸気孔１０５に壁面を吸着する吸引力が生じる。
【００３７】
減圧室１０３を設け、気圧差による吸引力を生じさせることで、単に吸盤で取り付けていた従来の構成よりも大きな吸引力を生じさせることができ、このため、大型のテレビも壁に吸着することができる。
【００３８】
図２、図３は図１の斜視図であるが、図１と同一の構成要素には同一の符号を付している。
【００３９】
図２では、弾性部材１０４は壁掛けテレビ背面の全面に渡って設けられている。このように弾性部材１０４を壁掛けテレビ背面の全面に渡って設けることにより、壁面との接触面積が大きくなる。そのため壁面との摩擦力が大きくなり、壁面への吸着力が強くなる。
【００４０】
一方、図３では、弾性部材１０４は壁掛けテレビ背面の左右側部それぞれの一定の領域に設けられている。図２のように弾性部材１０４を壁掛けテレビ背面の全面に渡って設けた場合、吸気孔１０５に外部から空気が漏れこまないように壁面１０７と弾性部材１０４とを密着させるため、この弾性部材１０４の面積と同等かそれ以上の面積に渡って壁面１０７も略平坦である必要がある。
【００４１】
図３のように弾性部材１０４の面積を小さくすれば、壁面１０７に必要とされる平坦部分も小さくすることができる。従って、多様な壁面状態に対応することができるようになる。尚、図３では、弾性部材１０４を壁掛けテレビ背面の左右側部それぞれの一定の領域に設けたが、更に、細かく領域分割しても良い。例えば、それぞれの吸気孔１０５毎にその周辺領域に弾性部材１０４を設けても良い。
【００４２】
次に、本発明の壁掛けテレビにおける排気孔１０６からの排気方法について説明する。
【００４３】
排気は、排気ポンプ等により実現できるが、簡易的には、家庭用の掃除機で代用できる。このため、排気孔１０６の形状は、家庭用掃除機の吸引ホースの口に接合できる形状とすることが好ましい。この様子を図４に示す。
【００４４】
図４において、４０１は本発明に係る壁掛けテレビである。そして、４０３は壁掛けテレビ４０１が吸着される壁面、４０２は排気用の掃除機、４０４は掃除機４０２と排気孔１０６（図１参照）とを接続するホースである。
【００４５】
このような状態で、掃除機４０２を動作させると、掃除機４０２は吸気を始める。即ち、排気孔１０６から空気が排気される。これにより、減圧室１０３（図１参照）が減圧され、壁掛けテレビ４０１は壁面４０３に吸着されることになる。
【００４６】
ところで、排気が終了した後は、ホース４０４をはずすと共に、排気孔１０６を密閉する必要がある。この際、ホース４０４をはずした瞬間に排気孔１０６が密閉される必要がある。さもないと、ホース４０４をはずしてから排気孔１０６が密閉されるまでの間に減圧室１０３に空気が逆流してしまい、減圧の効果が低減されてしまうからである。
【００４７】
そこで、排気孔１０６には特有の密閉構造を設ける必要がある。図５、図６に排気孔１０６の密閉構造を示す。
【００４８】
図５において、（ａ）は排気孔１０６の側面図、（ｂ）は上面図である。同図５０１は、弾性部材である。弾性部材としては、ゴムや軟質プラスチック等が考えられる。この弾性部材は、排気孔１０６の内壁に添って接合されている。また、５０２は蓋部であり、５０３はこの蓋部５０２を排気孔１０６に接合すると共に蓋部５０２に付勢を与えるための弾性体である。弾性体としては、つるまきバネや板バネ等が考えられる。尚、この弾性体５０３は蓋部５０２が弾性部材５０１に押圧される方向に付勢を与えている。
【００４９】
このように構成された排気孔１０６から排気が行われている状態を同図（ｃ）に示す。図中の矢印は空気の流れを示している。
【００５０】
排気が行われると、矢印の向きに空気が吸引される。その吸引力が弾性体５０３の付勢力に抗して、蓋部５０２を押し下げる。このため、排気孔１０６が開放され排気が行われる。
【００５１】
次に、排気が終了し、ホース４０４（図４参照）がはずされた瞬間または掃除機４０２（図４参照）の動作が停止した瞬間を図５（ｄ）に示す。
【００５２】
ホース４０４がはずされ、または掃除機４０２が停止すると、これまで弾性体５０３の付勢力に抗していた吸引力が消滅する。このため、弾性体５０３の付勢力により蓋部５０２が弾性部材５０１を押圧する方向に回動し、排気孔１０６が密閉される。この際、弾性体５０３の付勢力に加えて、外気と減圧室１０３内の気圧差による圧力が同図（ｄ）の矢印に示す方向にかかるため、より早く排気孔１０６が密閉される。また、蓋部５０２により排気孔１０６を密閉する力も、弾性体５０３の付勢力に加えて、外気と減圧室１０３内の気圧差による圧力も加わるため、より強く蓋部５０２が弾性部材５０１を押圧することになり密閉が強化される。
【００５３】
更に、図６に示すように、ホース４０４をはずした後、密閉式のキャップ６０１を排気孔１０６の口部を覆うように接合させれば、排気孔１０６の密閉がより補強されて好ましい。尚、図５において、弾性部材５０１と接触する蓋部５０２の面に第２の弾性部材を設けると更に効果的である。弾性部材同士が密着し、更に密閉度が向上するからである。
【００５４】
ところで、以上のように、排気孔１０６を密閉しても、完全に密閉することは困難である。また、吸気孔１０５（図１参照）からもわずかずつながらも空気が漏れることは避けられない。そのため、長い時間経過すると減圧室１０３の圧力が徐々に上昇して行き、壁面１０７（図１参照）への吸着力が徐々に減少する。
【００５５】
そのため、このような状態を放置しておくと、いずれは壁掛けテレビが壁面から落下することになる。従って、減圧室１０３の圧力が上昇してきた場合は、使用者にその旨を認識させ、再度排気処理を促す必要がある。
【００５６】
以上のような使用者に減圧室１０３の圧力が上昇してきたことを認識させるための構成を図７に示す。図７は本発明に係る壁掛けテレビのブロック図である。
【００５７】
図７において、受信されたテレビジョン放送波は、チューナ７０１で復調され、続くビデオ処理部７０２で映像信号及び音声信号に所定の処理が施される。続いて、映像信号はコントローラ７０３に入力され、ドライバ７０４を駆動する信号が作成される。ＬＣＤ７０５は、このドライバ７０４が駆動されることにより映像信号が表示される。また、このＬＣＤを照明するためにバックライト７０７が設けられる。このバックライト７０７は、照明装置である蛍光管７０８と、この蛍光管７０８を駆動するインバータ部７０９より構成される。また、以上の各構成要素は、制御マイコン７１０により動作がコントロールされる。
【００５８】
加えて、気圧センサ７１１が減圧室１０３内に設けられる。この気圧センサ７１１からの情報は制御マイコン７１０に入力され、予め定められた所定の気圧と比較される。この比較の結果、予め定められた所定の気圧より気圧センサ７１１で検出された気圧が高くなったことが検知された場合、警告灯・警告音発生部７１２を動作させ、警告灯の点灯・警告音の発生を行う。
【００５９】
これにより、使用者に対して減圧室１０３の圧力が上昇している旨、即ち、壁面からテレビが落下する危険がある旨を報知することができる。
【００６０】
図８は、使用者に減圧室１０３の圧力が上昇してきたことを認識させるための他の構成である。図７と同一の構成要素には同一の符号を付し、説明は省略する。
【００６１】
本構成では、制御マイコン７１０に入力された気圧センサ７１１で測定された気圧が、予め定められた所定の気圧より高くなった場合、制御マイコン７１０は、警告メッセージを作成し、ＯＳＤ（オンスクリーンディスプレイ）部８０１に、そのメッセージ信号を送る。ＯＳＤ部８０１では、ビデオ処理部７０２から入力される映像信号にこのメッセージ信号を重畳させる。これにより、警告メッセージが映像と共にＬＣＤ７０５に表示されることになり、これにより使用者に壁面からテレビが落下する危険がある旨を報知することができる。
【００６２】
次に本発明に係る壁掛けテレビの第２の実施形態を説明する。
【００６３】
図９に側面図を示す。図１と同一の構成要素には同一の符号を付している。本実施形態では、減圧室１０３内に排気用のポンプ９０１を設けている。
【００６４】
第１の実施形態では、減圧室１０３の排気用のポンプは外部の掃除機４０２で代用していた。このため、図４に示すように壁面４０３の所定の位置に壁掛けテレビ４０１を固定するためには、壁掛けテレビ４０１を壁面４０３の所定の位置で支える人と、掃除機４０２の動作スイッチを入れる人の二人が必要である。この動作を一人で行うのは不便である。
【００６５】
本第２の実施形態では、減圧室１０３の排気用のポンプ９０１を内蔵しているので、一人で壁掛けテレビ４０１を壁面４０３の所定の位置に固定するのに都合がよい。そして、そのためには、排気用ポンプ９０１の動作スイッチを壁掛けテレビのフレーム部分に設けるのが好ましい。この様子を図１０に示す。図１０は、本発明に係る壁掛けテレビを正面から見た図である。
【００６６】
図１０において、１００１は画面である。また、１００２はそのフレーム部分であり、１００３はそのフレーム部分１００２の上下・左右の中央部分である。
【００６７】
壁掛けテレビを壁に固定する際には、フレーム部分１００２を把持して位置決めをするのが通常である。このため、その状態で排気用ポンプ９０１の動作スイッチを入れられれば都合が良い。即ち、排気用ポンプ９０１の動作スイッチをフレーム部分１００２またはその周辺部に設けるのが良い。特に、フレーム部分１００２の上下、左右の中央部分１００３を把持する場合が一般的であるから、このフレーム中央部分１００３またはその周辺部に排気用ポンプ９０１の動作スイッチを設けるのが好ましい。
【００６８】
次に、時間の経過と共に減圧室１０３（図９参照）の圧力が上昇して、壁面１０７（図９参照）との吸着力が弱くなることへの対策を図１１に示す。図１１は、本実施形態におけるブロック図である。
【００６９】
図１１において、図７、８と同一の構成要素には同一の符号を付し、説明は省略する。
【００７０】
本構成では、制御マイコン７１０に入力された気圧センサ７１１で測定された気圧が、予め定められた所定の気圧より高くなった場合、制御マイコン７１０は、減圧ポンプ１１０１を動作させる。即ち減圧室１０３の排気を開始する。これにより、減圧室１０３の圧力は常に一定の圧力に保持される。
【００７１】
尚、本発明に係る壁掛けテレビにおいては、本体自体の軽量化をすることが望ましい。例えば、第１、第２の実施形態で説明したＬＣＤを用いた壁掛けテレビでは、バックライトに蛍光管を用いた構成で説明しているが、蛍光管によるバックライトは、蛍光管の他にこの蛍光管を駆動するためのインバータ回路、及び蛍光管の光を液晶パネル全面に照射するための導光板等が必要となり、軽量化には不向きである。そこで、蛍光管によるバックライトに代えＥＬ（エレクトロルミネッセンス）を用いたバックライトを採用することで軽量化が図れる。従って、本願発明に係る壁掛けテレビのディスプレイとしてＬＣＤを用いた場合、バックライトにはＥＬを用いるのが好ましい。
【００７２】
また、第１の実施形態では、減圧室１０３の排気をするために掃除機４０２を用い、第２の実施形態では減圧用のポンプ９０１を内蔵するようにしたが、壁掛けテレビの軽量化を図るため、ポンプ９０１を外付けとしても良い。即ち、第１の実施形態における掃除機４０２の代わりに専用の排気用ポンプを設け、これを常時壁掛けテレビに接続しておく形態でも良い。
【００７３】
尚、以上の第１の実施形態、第２の実施形態で説明した各構成要素は、可能な限り互いに組み合わせて適用できるものである。
【００７４】
【発明の効果】
本発明によれば、壁面にネジ穴や傷等を付けることなく、テレビを固定することができる。
【００７５】
また、大型のテレビを固定できるだけの吸着力を生じさせることができる。
【００７６】
更に、壁面に固定したテレビが落下することを防止することができる。
【図面の簡単な説明】
【図１】本発明に係る壁掛けテレビの側面図である。
【図２】本発明に係る壁掛けテレビの斜視図である。
【図３】本発明に係る壁掛けテレビの斜視図である。
【図４】本発明に係る壁掛けテレビを壁面に固定する様子を示した図である。
【図５】本発明に係る壁掛けテレビの排気孔の蓋構造を示した図である。
【図６】本発明に係る壁掛けテレビの排気孔の蓋構造を示した図である。
【図７】本発明に係る壁掛けテレビのブロック図である。
【図８】本発明に係る壁掛けテレビのブロック図である。
【図９】本発明に係る壁掛けテレビの他の側面図である。
【図１０】本発明に係る壁掛けテレビの正面図である。
【図１１】本発明に係る壁掛けテレビの他のブロック図である。
【図１２】従来の壁掛けテレビの構造図である。
【図１３】従来の壁掛けテレビの他の構造図である。
【符号の説明】
１０１・・・液晶パネル、１０２・・・バックライト、１０３・・・減圧室、１０４・・・弾性部材、１０５・・・吸気孔、１０６・・・排気孔、１０７・・・壁面、４０１・・・壁掛けテレビ、４０２・・・掃除機、４０３・・・壁面、４０４・・・ホース、５０１・・・弾性部材、５０２・・・蓋部、５０３・・・弾性体、６０１・・・密閉キャップ、７０１・・・チューナ、７０２・・・ビデオ処理部、７０３・・・コントローラ部、７０４・・・ドライバ部、７０５・・・ＬＣＤ、７０７・・・バックライト、７０８・・・蛍光管、７０９・・・インバータ、７１０・・・制御マイコン、７１１・・・気圧センサ、７１２・・・警告灯、８０１・・・ＯＳＤ部、９０１・・・減圧ポンプ、１００１・・・画面、１００２・・・フレーム、１００３・・・フレーム中央部、１１０１・・・減圧ポンプ、１２０１・・・壁面、１２０２・・・金具、１２０３・・・テレビ本体、１２０４・・・治具、１２０５・・・取り付け部、１３０１・・・台座、１３０２・・・吸盤、１３０３・・・テレビ本体
【図１】
2004112262.tif 000003
【図２】
2004112262.tif 000004
【図３】
2004112262.tif 000005
【図４】
2004112262.tif 000006
【図５】
2004112262.tif 000007
【図６】
2004112262.tif 000008
【図７】
2004112262.tif 000009
【図８】
2004112262.tif 000010
【図９】
2004112262.tif 000011
【図１０】
2004112262.tif 000012
【図１１】
2004112262.tif 000013
【図１２】
2004112262.tif 000014
【図１３】
2004112262.tif 000015